(57)【要約】【課題】最終的にエラー処理に至り再生できないという頻度を低減すること等が可能な情報再生装置及び情報再生方法等を提供する。【解決手段】装填された記録媒体の種類を判別する判別手段と、前記判別された記録媒体の種類に応じて再生に必要な情報を当該記録媒体から取得する情報取得手段と、前記取得された情報に基づいて前記記録媒体から記録情報を再生する制御を行う再生制御手段と、を備える情報再生装置が前記判別手段により前記記録媒体の種類が判別できない場合、又は情報取得手段により前記再生に必要な情報が正常に取得できない場合に、ユーザに対し当該記録媒体の種類の選択を促し、当該記録媒体の種類の選択をユーザから受付け、当該選択された記録媒体の種類に応じて再生に必要な情報を当該記録媒体から取得する。【選択図】  図２
2004319052.tif 000002
【特許請求の範囲】
【請求項１】
装填された記録媒体の種類を判別する判別手段と、前記判別された記録媒体の種類に応じて再生に必要な情報を当該記録媒体から取得する情報取得手段と、前記取得された情報に基づいて前記記録媒体から記録情報を再生する制御を行う再生制御手段と、を備える情報再生装置において、
前記判別手段により前記記録媒体の種類が判別できない場合、又は情報取得手段により前記再生に必要な情報が正常に取得できない場合に、ユーザに対し当該記録媒体の種類の選択を促す選択要求手段と、
前記記録媒体の種類の選択をユーザから受付ける選択受付手段と、を備え、
前記情報取得手段は、前記選択された記録媒体の種類に応じて再生に必要な情報を当該記録媒体から取得することを特徴とする情報再生装置。
【請求項２】
請求項１に記載の情報再生装置において、
前記情報取得手段により前記再生に必要な情報が正常に取得できない場合に、前記判別された前記記録媒体の種類と前記選択された前記記録媒体の種類とが一致する場合には、エラー処理を行うエラー処理手段を備えることを特徴とする情報再生装置。
【請求項３】
請求項１又は２に記載の情報再生装置において、
前記判別手段は、前記記録媒体がＣＤ或いはＤＶＤであるかの種類を判別する第１判別と、前記記録媒体がシングルセッション或いはマルチセッションであるかの種類を判別する第２判別と、前記記録媒体がＣＤオーディオ或いはＣＤロムであるかの種類を判別する第３判別と、の少なくとも何れか一つの判別を行い、
前記選択受付手段は、前記記録媒体がＣＤ或いはＤＶＤであるかの種類の選択を受付ける第１選択受付と、前記記録媒体がシングルセッション或いはマルチセッションであるかの種類の選択を受付ける第２選択受付と、前記記録媒体がＣＤオーディオ或いはＣＤロムであるかの種類の選択を受付ける第３選択受付と、の少なくとも何れか一つの選択受付を行うことを特徴とする情報再生装置。
【請求項４】
請求項１乃至３の何れか一項に記載の情報再生装置において、
前記選択要求手段は、前記ユーザに対し前記記録媒体の種類の選択を音声により促すことを特徴とする情報再生装置。
【請求項５】
請求項１乃至４の何れか一項に記載の情報再生装置において、
前記選択受付手段は、前記ユーザから発せられた音声を認識することにより前記記録媒体の種類の選択を受付けることを特徴とする情報再生装置。
【請求項６】
情報再生装置における情報再生方法において、
装填された記録媒体の種類を判別する工程と、
前記判別された記録媒体の種類に応じて再生に必要な情報を当該記録媒体から取得する工程と、
前記記録媒体の種類が判別できない場合、又は前記再生に必要な情報が正常に取得できない場合に、ユーザに対し当該記録媒体の種類の選択を促す工程と、
前記記録媒体の種類の選択をユーザから受付ける工程と、
前記選択された記録媒体の種類に応じて再生に必要な情報を当該記録媒体から取得する工程と、
前記取得された情報に基づいて前記記録媒体から記録情報を再生する制御を行う工程と、を備えることを特徴とする情報再生方法。
【請求項７】
情報再生装置に含まれるコンピュータを、
装填された記録媒体の種類を判別し、
前記判別された記録媒体の種類に応じて再生に必要な情報を当該記録媒体から取得し、
前記記録媒体の種類が判別できない場合、又は前記再生に必要な情報が正常に取得できない場合に、ユーザに対し当該記録媒体の種類の選択を促し、
前記記録媒体の種類の選択をユーザから受付け、
前記選択された記録媒体の種類に応じて再生に必要な情報を当該記録媒体から取得し、
前記取得された情報に基づいて前記記録媒体から記録情報を再生する制御を行うように機能させることを特徴とする情報再生処理プログラム。
【請求項８】
請求項７に記載の情報再生処理プログラムがコンピュータ読み取り可能に記録されたことを特徴とする記録媒体。
【発明の詳細な説明】
【０００１】
【発明の属する技術分野】
本発明は、装填された記録媒体の種類を判別する判別手段と、前記判別された記録媒体の種類に応じて再生に必要な情報を当該記録媒体から取得する情報取得手段と、前記取得された情報に基づいて前記記録媒体から記録情報を再生する制御を行う再生制御手段と、を備える情報再生装置等の技術分野に関する。
【０００２】
【従来の技術】
近年、様々な種類の記録媒体が市場に登場するようになってきている。例えば、光ディスクでは、記録密度の違いにより、ＣＤ（Ｃｏｍｐａｃｔ  Ｄｉｓｃ）とＤＶＤ（Ｄｉｇｉｔａｌ  Ｖｅｒｓａｔｉｌｅ  Ｄｉｓｃ）との種類に分けられ、更に、ＣＤは、コンピュータ用途を中心に普及しているＣＤ−ＲＯＭと、音楽用途を中心に普及しているＣＤ−ＤＡ（Ｄｉｇｉｔａｌ  Ａｕｄｉｏ）との種類や、その記録形態がシングルセッションとマルチセッションとの種類や、ファイルシステムの有無の種類等に分かれる。また、これらの光ディスクは、再生専用（例えば、ＣＤ−ＲＯＭ、ＤＶＤ−ＲＯＭ）と再生及び記録用（例えば、ＣＤ−Ｒ、ＤＶＤ−Ｒ）との種類に分けることもできる。
【０００３】
従来の情報再生装置は、このように種類が異なる光ディスクであっても、同一の再生機構によって記録情報を再生することができる。このような情報再生装置においては、通常、装置内に光ディスクが挿入されると、挿入された光ディスクの種類を自動判別し、その種類に応じて再生に必要な情報を取得し、光ディスクから記録情報を再生するようになっている。また、このような情報再生装置においては、光ディスクのキズやごみ付着、或いは規格外の光ディスク（例えば、ＣＤの場合、ＴＯＣ情報、サブコード情報等が正しく読めない）の挿入等によって光ディスクの種類の判別が困難な場合、或いは光ディスクの判別が誤っており再生に必要な情報の取得が困難な場合等を考慮し、判別処理若しくは取得処理が何回かリトライされるか、或いは別の判別処理がなされるようになっており、最終的に当該判別及び取得ができなかった場合には、エラー処理（例えば、判別不可である旨のエラー表示や、光ディスクの排出等）を行うようになっていた。
【０００４】
ところで、このような光ディスクの種類は、今後も増加していくことが予想され、これに伴い情報再生装置が行う自動判別の数及びそれに要する時間、更には、再生に必要な情報の取得時間も増していくことが予想される。従って、光ディスクの種類の各自動判別処理は、できるだけ短時間で行われ、かつ、正確であることが要求され、様々な判別方法が提案されている。
【特許文献１】
特開２００２−３０４７４８号公報
その一例として、特許文献１には、ＣＤとＤＶＤの種類を比較的短時間で判別することができる光ディスク再生装置が開示されている。
【０００５】
【発明が解決しようとする課題】
しかしながら、従来の情報再生装置における様々な判別方法においても、光ディスクのキズやごみ付着、或いは規格外の光ディスクの挿入等によって光ディスクの種類の判別（リトライも含め）ができない場合、或いは光ディスクの判別が誤っており再生に必要な情報の取得ができない場合等には、最終的にエラー処理を行わざるを得ない。また、光ディスクの種類は、今後も増加していくことが予想されるため、様々な光ディスクに対応すればするほど、このような事は一層増していくことになる。
【０００６】
そこで、本発明は、上記不便さの解消を一つの課題とし、最終的にエラー処理に至り再生できないという頻度を低減すること等が可能な情報再生装置及び情報再生方法等を提供することを目的する。
【０００７】
【課題を解決するための手段】
上記課題を解決するため、請求項１記載の発明は、装填された記録媒体の種類を判別する判別手段と、前記判別された記録媒体の種類に応じて再生に必要な情報を当該記録媒体から取得する情報取得手段と、前記取得された情報に基づいて前記記録媒体から記録情報を再生する制御を行う再生制御手段と、を備える情報再生装置において、前記判別手段により前記記録媒体の種類が判別できない場合、又は情報取得手段により前記再生に必要な情報が正常に取得できない場合に、ユーザに対し当該記録媒体の種類の選択を促す選択要求手段と、前記記録媒体の種類の選択をユーザから受付ける選択受付手段と、を備え、前記情報取得手段は、前記選択された記録媒体の種類に応じて再生に必要な情報を当該記録媒体から取得することを特徴とする。
【０００８】
請求項６記載の発明は、情報再生装置における情報再生方法において、装填された記録媒体の種類を判別する工程と、前記判別された記録媒体の種類に応じて再生に必要な情報を当該記録媒体から取得する工程と、前記記録媒体の種類が判別できない場合、又は前記再生に必要な情報が正常に取得できない場合に、ユーザに対し当該記録媒体の種類の選択を促す工程と、前記記録媒体の種類の選択をユーザから受付ける工程と、前記選択された記録媒体の種類に応じて再生に必要な情報を当該記録媒体から取得する工程と、前記取得された情報に基づいて前記記録媒体から記録情報を再生する制御を行う工程と、を備えることを特徴とする。
【０００９】
請求項７記載の発明は、情報再生装置に含まれるコンピュータを、装填された記録媒体の種類を判別し、前記判別された記録媒体の種類に応じて再生に必要な情報を当該記録媒体から取得し、前記記録媒体の種類が判別できない場合、又は前記再生に必要な情報が正常に取得できない場合に、ユーザに対し当該記録媒体の種類の選択を促し、前記記録媒体の種類の選択をユーザから受付け、前記選択された記録媒体の種類に応じて再生に必要な情報を当該記録媒体から取得し、前記取得された情報に基づいて前記記録媒体から記録情報を再生する制御を行うように機能させることを特徴とする。
【００１０】
請求項８記載の発明は、請求項７に記載の情報再生処理プログラムがコンピュータ読み取り可能に記録されたことを特徴とする。
【００１１】
【発明の実施の形態】
次に、本願に好適な実施の形態について、図面に基づいて説明する。なお、以下に説明する実施の形態は、記録媒体の一例としての光ディスクに記録された情報を再生するディスク再生装置に対して本発明を適用した場合の実施形態である。
【００１２】
先ず、図１を参照して、本実施形態にかかるディスク再生装置の構成および機能を説明する。
【００１３】
図１は、ディスク再生装置の概要構成例を示す図である。図１に示すように、ディスク再生装置Ｓは、スピンドルモータ１、光ピックアップ２、サーボ回路３、情報再生部４、操作・表示部５、及び上記構成要素を制御するシステム制御部６等を含んで構成されている。光ディスク１０は、ディスク再生装置Ｓに備えられた図示しない装填機構におけるトレイに装填され、装置Ｓ内に挿入（搬入）されるようになっている。
【００１４】
スピンドルモータ１は、図示しないターンテーブル上における所定のクランプ位置に載置された光ディスク１０を一定の線速度で回転させるようになっている。
【００１５】
光ピックアップ２は、図示しない半導体レーザ素子により光ビームを光ディスク１０に照射し、その反射光を光センサにて検出し、その検出信号をサーボ回路３及び情報再生部４に出力するようになっている。この半導体レーザ素子は、ＤＶＤ用として６５０ｎｍの波長の光ビームを発射するＤＶＤ用レーザ素子と、ＣＤ用として７８０ｎｍの波長の光ビームを発射するＣＤ用レーザ素子とから構成されており、これらの素子は、システム制御部６により制御される図示しない駆動回路からの駆動電流により光ビームを発射するようになっている。また、光ピックアップ２は、図示しない対物レンズを光軸方向に移動させるフォーカシング部分と、当該対物レンズを光軸に垂直なディスク半径方向に移動させるトラッキング部分とからなるアクチュエータが備えられている。
【００１６】
サーボ回路３は、システム制御部６の制御の下、光ピックアップ２から出力された検出信号に基づき、トラッキングエラー信号、及びフォーカスエラー信号を生成し、これらの信号に基づいてスピンドルモータ１及び光ピックアップ２をサーボ制御、即ち、光ピックアップ２や光ディスク１０の速度、トラック位置、集光レンズのフォーカス等を閉回路ループを形成することにより制御するようになっている。また、サーボ回路３は、生成したトラッキングエラー信号を２値化して、その２値化信号をシステム制御部６に供給するようになっている。
【００１７】
情報再生部４は、システム制御部６の制御の下、光ピックアップ２から出力された検出信号をＲＦ（Ｒａｄｉｏ  Ｆｒｅｑｕｅｎｃｙ）アンプにてＲＦ信号に変換し、２値化した後、ＥＦＭ（Ｅｉｇｈｔ  ｔｏ  Ｆｏｕｒｔｅｅｎ  Ｍｏｄｕｌａｔｉｏｎ）復調処理及び誤り訂正処理等を施すことにより光ディスク１０の記録情報（データ）を復元する。そして、情報再生部４は、復元された記録情報（映像データ、オーディオデータ、及びコンピュータプログラム，データ等）に対して復号処理を施すことにより記録情報の再生を行うようになっている。再生された記録情報のうち、映像データは図示しない描画処理回路を介してディスプレイに出力され、音声データは図示しない音声処理回路を介してスピーカに出力され、コンピュータプログラム等は、システム制御部６に出力される。
【００１８】
ここで、光ディスク１０の種類としては、先ず、記録情報の記録密度の違いによりＤＶＤとＣＤとに分けられる。また、例えば、光ディスク１０がＣＤである場合、更に、シングルセッションとマルチセッションの種類に分けられる。即ち、ＣＤにおいては、公知の如く、セッションを単位にして情報が記録されており、１つのセッションは、内周側より順次リードインエリア、プログラムエリア、リードアウトエリアにより構成されるが、このようなセッションが情報記録面に複数形成されたものをマルチセッションという。更に、ＣＤの種類としては、オーディオデータ等が記録されたＣＤオーディオ（ＣＤ−ＤＡ）と、コンピュータプログラム及びデータ等が記録されたＣＤロム（ＣＤ−ＲＯＭ）の種類に分けられる。更に、ＣＤがマルチセッションの場合には最終セッションに公知のファイルシステム（ＣＤロム等に記録された各ファイルやディレクトリを論理アドレス（又は仮想アドレス）によって参照することができる情報源）が存在するが、ＣＤの種類としては、ファイルシステムを有するＣＤと、当該ファイルシステムを有しないＣＤとに分けられる。
【００１９】
光ディスク１０がＣＤである場合、システム制御部６の制御の下、ＣＤのリードインエリアに記録されたＴＯＣ（Ｔａｂｌｅ  Ｏｆ  Ｃｏｎｔｅｎｔｓ）情報が情報再生部４からシステム制御部６に供給されるようになっている。なお、ＴＯＣ情報には、プログラムエリアにおけるトラック番号及び各記録情報の開始位置と終了位置の絶対時間、シングルセッションとマルチセッションの別、ＣＤオーディオとＣＤロムの別等の情報が含まれている。
【００２０】
操作・表示部５は、ユーザが各種指示（例えば、光ディスク１０の再生及び停止指示、光ディスク１０の種類の選択指示、及びモードの選択指示等）を入力するための操作指示ボタン、及び各種情報（例えば、装置Ｓの状態、光ディスク１０に関する情報、光ディスク１０の種類の選択を促す情報など）を表示する表示パネル（例えば、液晶表示パネル）を備えている。例えば、ユーザにより操作指示ボタンが押下されると、その押下された操作指示ボタンに対応する指示信号がシステム制御部６に出力されるようになっている。
【００２１】
システム制御部６は、演算処理機能を有するＣＰＵ（Ｃｅｎｔｒａｌ  Ｐｒｏｃｅｓｓｉｎｇ  Ｕｎｉｔ）、各種データ，及びプログラム（情報再生処理プログラムを含む：この情報再生処理プログラムは、例えば、インターネット上のサーバからダウンロードされるようにしてもよいし、ＣＤ−ＲＯＭ等の記録媒体に記録されて提供されるようにしてもよい。）を記憶するＲＯＭ（Ｒｅａｄ−Ｏｎｌｙ  Ｍｅｍｏｒｙ）、作業用ＲＡＭ（Ｒａｎｄｏｍ−Ａｃｃｅｓｓ  Ｍｅｍｏｒｙ）、及び各種設定を記憶保持するための不揮発性メモリ（例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ））等を含んで構成されており、ＣＰＵがプログラムを実行することにより、システム制御部６は、判別手段、情報取得手段、選択要求手段、選択受付手段、再生制御手段、及びモード選択受付手段として機能するようになっている。
【００２２】
具体的には、システム制御部６は、判別手段として、装填された光ディスク１０の種類を判別するようになっている。例えば、ＣＤ或いはＤＶＤであるかの種類の判別は、例えば、サーボ回路３から供給されたトラッキングエラー信号に基づいて行われる。また、ＣＤがシングルセッション或いはマルチセッションであるかの種類の判別、及びＣＤオーディオ或いはＣＤロムであるかの種類の判別は、システム制御部６によりＴＯＣ情報に含まれる情報に基づいて行われる。
【００２３】
システム制御部６は、情報取得手段として、判別された光ディスク１０の種類に応じて再生に必要な情報を当該光ディスク１０から取得するようになっている。ここで、再生に必要な情報、即ち、プログラムエリアに記録された記録情報を再生するために必要な情報には、ＣＤの場合、例えば、リードインエリアに記録された情報（ＴＯＣ情報を含む）等が含まれる。また、ＤＶＤの場合、再生に必要な情報には、例えば、リードインエリアに記録された物理フォーマット情報中の最低読み出しレート情報（再生の際の読み出し線速度を決定するための情報）や、リードインエリアの次の領域に記録されたビデオマネージャー中の情報等が含まれる。
【００２４】
また、システム制御部６は、光ディスク１０の種類が判別できない場合、又は再生に必要な情報が正常に取得できない場合に、選択要求手段として、ユーザに対し当該光ディスク１０の種類の選択を、例えば、操作・表示部５における表示パネル上に表示して促し、選択受付手段として、光ディスク１０の種類の選択を操作・表示部５を介してユーザから受付けるようになっている。これにより、システム制御部６（判別手段）が判別可能な光ディスク１０の種類を、ユーザとしても選択することができる。これは、通常、ユーザは、自分が再生しようとする光ディスク１０の種類を知っている場合が多く、このような場合、装置Ｓによる自動判別に代え、ユーザが光ディスク１０の種類を装置Ｓに教えようというのである。この場合、システム制御部６は、ユーザにより選択された光ディスク１０の種類に応じて再生に必要な情報を当該光ディスク１０から取得するようになる。
【００２５】
そして、システム制御部６は、再生制御手段として、上記再生に必要な情報に基づいて光ディスク１０から記録情報を再生する制御を行うようになっている。なお、システム制御部６は、記録情報の再生制御に当たって、上記光ディスク１０の種類若しくは再生に必要な情報に従って最適な再生設定（再生に必要な調整）を行うことになる。ここで、再生設定とは、スピンドルモータ１、光ピックアップ２、サーボ回路３、及び情報再生部４における各種定数、パラメータ等の設定のことをいい、例えば、フォーカス調整、トラッキング調整、ＲＦアンプのイコライジング係数、トラックピッチの差異に応じたトラッキングエラー信号の調整係数、サーボゲイン、ＰＬＬ設定、エラー訂正方式、及びＣＤ−ＲＯＭデコード方式などの設定がある。
【００２６】
次に、図２乃至図４を参照して、本実施形態にかかるディスク再生装置Ｓの動作について説明する。なお、以下の動作は、ユーザによりディスク再生装置Ｓの装填機構に光ディスク１０が装填され装置Ｓ内に挿入されると、自動的（ユーザからの再生指示を待たず）に光ディスク１０の再生が行われる場合の例である。
【００２７】
図２は、光ディスク１０の再生が行われる場合のシステム制御部６の処理を示すフローチャートである。図３は、図２のステップＳ１３におけるシングルセッションの処理を示すフローチャートであり、図４は、図２のステップＳ１４におけるマルチセッションの処理を示すフローチャートである。
【００２８】
図２の処理において、先ず、ユーザによりディスク再生装置Ｓの装填機構に光ディスク１０が装填され装置Ｓ内に挿入されると、システム制御部６はこれを認識し（ステップＳ１）、ローディング制御を行い、光ピックアップ２を所定の位置（ホーム位置）に移動させるように制御する。
【００２９】
次に、システム制御部６は、光ディスク１０が、ＣＤ或いはＤＶＤであるかの種類を判別する判別（第１判別）処理を実行する（ステップＳ２）。かかる判別処理においては、例えば、システム制御部６は、光ピックアップ２及びサーボ回路３に制御指令を与えることにより、ＣＤ用レーザ素子から光ビームを光ディスク１０に照射しつつディスク半径方向にトラック横切移動させ、そのトラック横切移動中においてサーボ回路３から供給されたトラッキングエラー信号の２値化信号（パルス）の数が規定値以上になった場合には光ディスク１０の種類をＣＤと判定し、当該規定値に達しない場合には光ディスク１０の種類をＤＶＤと判定する。これは、光ディスク１０がＤＶＤである場合、ＣＤ用レーザ素子からの光ビームの照射位置が光ディスク１０のトラックを横切っても、光ディスク１０がＣＤである場合と異なりトラッキングエラー信号の変動幅は小さく、所定レベルまでのレベル変動はないことを利用した判別方法である。なお、ＣＤ或いはＤＶＤであるかの種類の判別方法は、これに限らず、例えば、光ディスク１０を規定回転数で回転させ、その時に光ディスク１０から最大ピット長又は最小ピット長を測定してピット長の大小から光ディスクの種類を判別する方法等の如何なる方法を採用してもよい。
【００３０】
次に、システム制御部６は、光ディスク１０の種類の判別ができたか否かを判断し（ステップＳ３）、光ディスク１０の種類の判別ができた場合には（ステップＳ３：Ｙ）、ステップＳ５に移行する。
【００３１】
一方、ステップＳ２における光ディスク１０の種類の判別ができなかった場合（ステップＳ３：Ｎ）、システム制御部６は、ユーザに対し光ディスク１０がＣＤ或いはＤＶＤであるかの種類の選択を促すための表示を操作・表示部５における表示パネル上で行い、これに応じてユーザにより操作・表示部５における操作指示ボタンにて選択があった場合には、ＣＤとＤＶＤの何れか一方の選択を受付（第１選択受付）ける（ステップＳ４）。なお、ステップＳ２における光ディスク１０の種類の判別ができなかった場合、システム制御部６は、光ディスク１０の種類の判別を所定回数リトライし、それでも当該判別ができなかった場合に、ユーザに対し光ディスク１０の種類の選択を促すように構成してもよい。
【００３２】
次に、システム制御部６は、ステップＳ２における判別結果、若しくはステップＳ４における選択受付結果より、装填された光ディスク１０がＣＤであるか、ＤＶＤであるかを判断し（ステップＳ５）、ＣＤである場合にはステップＳ８に移行し、ＤＶＤである場合にはステップＳ６に移行する。
【００３３】
ステップＳ６では、システム制御部６は、ＤＶＤのリードインエリアに記録された物理フォーマット情報、及びリードインエリアの次の領域に記録されたビデオマネージャーを読み取るための制御指令を光ピックアップ２及びサーボ回路３等に与え、読み取られた物理フォーマット情報等を再生に必要な情報として情報再生部４から読み込み取得する。そして、システム制御部６は、上記再生に必要な情報に基づいてＤＶＤの再生制御処理、即ち、光ピックアップ２、サーボ回路３、及び情報再生部４に対しＤＶＤのプログラムエリアから記録情報を再生するための制御指令を与える（ステップＳ７）。これにより、ＤＶＤから記録情報が再生されることになる。
【００３４】
一方、ステップＳ８では、システム制御部６は、ＣＤの第１セッションのリードインエリアに記録されたＴＯＣ情報を読み取るための制御指令を光ピックアップ２及びサーボ回路３等に与え、読み取られたＴＯＣ情報を情報再生部４から読み込み取得する。
【００３５】
次に、システム制御部６は、光ディスク１０がシングルセッション或いはマルチセッションであるかの種類を判別する判別（第２判別）処理を実行する（ステップＳ９）。かかる判別処理においては、システム制御部６は、読み込んだＴＯＣ情報に含まれるシングルセッションとマルチセッションの別を示す情報から、シングルセッションとマルチセッションとを判別（例えば、ＴＯＣ情報中のアドレスビットから識別）する。
【００３６】
次に、システム制御部６は、ステップＳ９における光ディスク１０の種類の判別ができたか否かを判断し（ステップＳ１０）、光ディスク１０の種類の判別ができた場合には（ステップＳ１０：Ｙ）、ステップＳ１２に移行する。
【００３７】
一方、ステップＳ９における光ディスク１０の種類の判別ができなかった場合（ステップＳ１０：Ｎ）、システム制御部６は、ユーザに対し光ディスク１０がシングルセッション或いはマルチセッションであるかの種類の選択を促すための表示を操作・表示部５における表示パネル上で行い、これに応じてユーザにより操作・表示部５における操作指示ボタンにて選択があった場合には、シングルセッションとマルチセッションの何れか一方の選択を受付（第２選択受付）ける（ステップＳ１１）。なお、ステップＳ９における光ディスク１０の種類の判別ができなかった、例えば、ＴＯＣ情報を正常に取得できなかった等の場合、システム制御部６は、光ディスク１０の種類の判別を所定回数リトライし、それでも当該判別ができなかった場合に、ユーザに対し光ディスク１０の種類の選択を促すように構成してもよい。
【００３８】
次に、システム制御部６は、ステップＳ９における判別結果、若しくはステップＳ１１における選択受付結果より、装填された光ディスク１０がシングルセッションであるか、マルチセッションであるかを判断し（ステップＳ１２）、シングルセッションである場合にはステップＳ１３（シングルセッションの処理）に移行し、マルチセッションである場合にはステップＳ１４（マルチセッションの処理）に移行する。
【００３９】
次に、図３に示すシングルセッションの処理において、システム制御部６は、光ディスク１０が、ＣＤオーディオ或いはＣＤロムであるかの種類を判別する判別（第３判別）処理を実行する（ステップＳ１３１）。かかる判別処理においては、システム制御部６は、読み込んだＴＯＣ情報に含まれるＣＤオーディオとＣＤロムの別を示す情報から、ＣＤオーディオとＣＤロムとを判別（例えば、ＴＯＣ情報中のコントロールビットから識別）する。
【００４０】
次に、システム制御部６は、ステップＳ１３１における光ディスク１０の種類の判別ができたか否かを判断し（ステップＳ１３２）、光ディスク１０の種類の判別ができた場合には（ステップＳ１３２：Ｙ）、ステップＳ１３４に移行する。
【００４１】
一方、ステップＳ１３１における光ディスク１０の種類の判別ができなかった場合（ステップＳ１３２：Ｎ）、システム制御部６は、ユーザに対し光ディスク１０がＣＤオーディオ或いはＣＤロムであるかの種類の選択を促すための表示を操作・表示部５における表示パネル上で行い、これに応じてユーザにより操作・表示部５における操作指示ボタンにて選択があった場合には、ＣＤオーディオとＣＤロムの何れか一方の選択を受付（第３選択受付）ける（ステップＳ１３３）。なお、ステップＳ１３１における光ディスク１０の種類の判別ができなかった、例えば、ＴＯＣ情報を正常に取得できなかった等の場合、システム制御部６は、光ディスク１０の種類の判別を所定回数リトライし、それでも当該判別ができなかった場合に、ユーザに対し光ディスク１０の種類の選択を促すように構成してもよい。
【００４２】
次に、システム制御部６は、ステップＳ１３１における判別結果、若しくはステップＳ１３３における選択受付結果より、装填された光ディスク１０がＣＤオーディオであるか、ＣＤロムであるかを判断する（ステップＳ１３４）。
【００４３】
そして、図２の処理に戻り、システム制御部６は、ＣＤオーディオであるかＣＤロムであるかの種類に応じて再生に必要な情報を、例えば、既に読み込まれたＴＯＣ情報から取得し、取得された情報に基づいてＣＤの再生制御処理、即ち、光ピックアップ２、サーボ回路３、及び情報再生部４に対しＣＤのプログラムエリアから記録情報を再生するための制御指令を与える（ステップＳ１５）。これにより、例えば、ＣＤオーディオである場合、第１トラックからオーディオデータが再生されることになり、ＣＤロムである場合、プログラムデータ等がミュート再生されることになる。
【００４４】
一方、図４に示すマルチセッションの処理において、システム制御部６は、ＴＯＣ情報から次のセッションの先頭時間を取得し、ＣＤの第２セッションのリードインエリアに記録された情報を読み取るための制御指令を光ピックアップ２及びサーボ回路３等に与え、読み取られた情報を情報再生部４から読み込み（ステップＳ１４１）、取得する。以降、システム制御部６は、第２セッションから最終セッションまで同様に、全てのセッションのリードインエリアに記録された情報を再生に必要な情報として読み込み（ステップＳ１４２、Ｓ１４３）、取得する。
【００４５】
そして、システム制御部６は、全てのセッションの情報を正常に取得できたか否かを判断し（ステップＳ１４４）、取得できなかった場合（ステップＳ１４４：Ｎ）、ユーザに対し光ディスク１０がシングルセッション或いはマルチセッションであるかの種類の選択を促すための表示を操作・表示部５における表示パネル上で行い、これに応じてユーザにより操作・表示部５における操作指示ボタンにて選択があった場合には、シングルセッションとマルチセッションの何れか一方の選択を受付ける（ステップＳ１４５）。なお、このステップＳ１４５の処理は、ステップＳ１１を経由した場合、即ち、マルチセッションの選択が受付られた場合には、行われずにステップＳ１４７に移行してもよい。
【００４６】
つまり、ステップＳ９における処理でシングルセッションとマルチセッションの種類の判別がシステム制御部６によってなされたが全てのセッションの情報を取得できなかったので、かかる判別が誤りである可能性があることを考慮し、ステップＳ１４５にて、シングルセッション、或いはマルチセッションであるかをユーザに問い合わせるのである。
【００４７】
なお、ステップＳ１４４において全てのセッションの情報を取得できなかったと判断された場合に、システム制御部６は、上記セッションの情報の取得（読み取り）処理を所定回数リトライし、それでも当該取得できなかった場合に、ユーザに対し光ディスク１０の種類の選択を促すように構成してもよい。
【００４８】
次に、システム制御部６は、ステップＳ１４５においてマルチセッションが選択されたか否かを判断し（ステップＳ１４６）、マルチセッションが選択された場合（ステップＳ１４６：Ｙ）には、エラー処理を実行する（ステップＳ１４７）。即ち、システム制御部６は、ステップＳ１４４にて再生に必要な情報が正常に取得できない場合に、ステップＳ９にて判別された光ディスク１０の種類と、ステップＳ１４５にて選択された光ディスク１０の種類とが一致する場合（この場合、判別及び選択がマルチセッションである）、エラー処理手段としてエラー処理を行うことになる。
【００４９】
一方、ステップＳ１４５においてシングルセッションが選択された場合（ステップＳ１４６：Ｎ）は、システム制御部６は、図３に示すシングルセッションの処理に移行する。つまり、システム制御部６のステップＳ９における判別が誤っていたので、正しい処理ルーチンに戻すのである。
【００５０】
なお、ステップＳ１４７のエラー処理においては、システム制御部６は、例えば、光ディスク１０の判別エラー、若しくは情報読み取りエラー等を示す情報を操作・表示部５における表示パネル上に表示したり、光ディスク１０を排出（イジェクト）する等の処理を行う。
【００５１】
一方、ステップＳ１４４において全てのセッションの情報が取得できたと判断された場合（ステップＳ１４４：Ｙ）、システム制御部６は、最終セッションにあるファイルシステムを再生に必要な情報として読み込む処理を行い（ステップＳ１４８）、ファイルシステムを正常に取得できた場合（ステップＳ１４９：Ｙ）、図２に示す処理に戻り、システム制御部６は、マルチセッションのＣＤの再生制御処理、即ち、光ピックアップ２、サーボ回路３、及び情報再生部４に対しＣＤのプログラムエリアから記録情報を再生するための制御指令を与える（ステップＳ１５）。これにより、例えば、システム制御部６に当該ファイルが読み込まれるになる。
【００５２】
一方、ステップＳ１４９においてファイルシステムが正常に取得できなかったと判断された場合（ステップＳ１４９：Ｎ）、システム制御部６は、ユーザに対し光ディスク１０がファイルシステムを有するか否かの種類の選択を促すための表示を操作・表示部５における表示パネル上で行い、これに応じてユーザにより操作・表示部５における操作指示ボタンにて選択があった場合には、当該選択を受付ける（ステップＳ１５０）。なお、ステップＳ１４８においてファイルシステムが正常に取得できなかった場合に、システム制御部６は、上記ファイルシステムの取得（読み取り）処理を所定回数リトライし、それでも当該取得できなかった場合に、ユーザに対し光ディスク１０の種類の選択を促すように構成してもよい。
【００５３】
次に、システム制御部６は、ステップＳ１５０においてファイルシステム有が選択されたか否かを判断し（ステップＳ１５１）、ファイルシステム有が選択された場合（ステップＳ１５１：Ｙ）には、エラー処理を実行する（ステップＳ１４７）。一方、ファイルシステム無が選択された場合（ステップＳ１５１：Ｎ）には、システム制御部６は、シングルセッションのＣＤであると認識して、図２に示す処理に戻り、ＣＤの再生制御処理、即ち、光ピックアップ２、サーボ回路３、及び情報再生部４に対しＣＤのプログラムエリアから記録情報を再生するための制御指令を与える（ステップＳ１５）。
【００５４】
以上説明したように上記実施形態によれば、光ディスク１０のキズやごみ付着、或いは規格外の光ディスクの挿入等によって、光ディスク１０の種類の判別ができない、又は再生に必要な情報が正常に取得できない等の場合であっても、ユーザに光ディスク１０の種類を選択させ、選択された種類に応じた再生に必要な情報を取得し、それに基づいて記録情報の再生が行われるようにすることができるので、最終的にエラー処理に至り再生できないという頻度を低減することができる。また、光ディスク１０の種類の判別が誤っていた場合であっても、最終的にエラー処理に至らず、光ディスク１０の再生を行うことができる。
【００５５】
また、システム制御部６による種類の判別や、再生に必要な情報の取得におけるリトライを行わずに、直ぐに光ディスク１０の選択をユーザにさせるように構成すれば、光ディスク１０の装置Ｓへの挿入から再生開始に至るまでの時間を大幅に短縮することができる。
【００５６】
なお、上記実施形態においては、システム制御部６は、操作・表示部５における表示パネル上にユーザに対し光ディスク１０の種類の選択を促す表示を行うように構成したが、これに限定されるものではなく、例えば、スピーカから音声により当該選択を促すように構成してもよい。
【００５７】
また、上記実施形態においては、ユーザは操作・表示部５における操作指示ボタンにて光ディスク１０の種類の選択を行い、システム制御部６は、かかる選択を受付けるように構成したが、これに限定されるものではない。例えば、ディスク再生装置Ｓに、ユーザから発生された音声を集音するマイクロフォン及びかかる音声を認識する音声認識手段を備えさせ、例えば、図２のステップＳ４及びＳ１１、図３のステップＳ１３３、図４のステップＳ１４５及びステップＳ１５０において、光ディスク１０の種類の選択の促し（表示若しくは音声による）に対して、ユーザが光ディスク１０の種類の選択を音声を発して行う（例えば、「ＤＶＤです」、「音楽用（ＣＤオーディオ）です」、シングル（シングルセッッション）です）、「ファイルシステム有です」等）と、マイクロフォンがかかる音声を集音し、これをシステム制御部６における音声認識手段が受付け、かかる音声を認識することによって、システム制御部６が光ディスク１０の種類の選択を受付ける。
【００５８】
この音声認識は、公知の手法を適用でき、例えば、システム制御部６が、予め定められた時間間隔毎に集音された音声（音声信号）を分析して特徴量を抽出し、この音声信号の特徴量に予めデータベースに格納されたＨＭＭ（Ｈｉｄｄｅｎ  Ｍａｒｋｏｖ  Ｍｏｄｅｌｓ）によって示される認識対象語の特徴量のデータとマッチングの割合、すなわち、音声信号の特徴量が特徴量データであることを示す確率を算出するとともに、発生られた音声の全てにおけるこの確率を積算し、この積算された確率が最も高い認識対象語を認識結果として確定するようにして行う。
【００５９】
このような構成によれば、ユーザは、違和感なく光ディスク１０の種類を選択することができる。
【００６０】
また、上記実施形態においては、光ディスク１０の種類として、ＣＤとＤＶＤの別、シングルセッションとマルチセッションの種別、ＣＤオーディオとＣＤロムの種別等を例にとり、かかる種類の判別と選択受付について説明したが、これに限定されるものではなく、例えば、再生専用光ディスク（ＣＤロム、ＤＶＤロム等）と、再生及び記録用光ディスク（ＣＤ−Ｒ、ＤＶＤ−Ｒ、ＤＶＤ−ＲＡＭ、ＤＶＤ−Ｒ／Ｗ等）の種別、或いは、ＤＶＤとＤＶＤよりも高密度の光ディスクの種別を例にとり、かかる種類の判別と選択受付を行うように構成してもよい。また、システム制御部６における光ディスク１０の種類の判別処理は、上記実施形態で説明した判別処理に限定されるものではなく、他の如何なる判別処理を適用することができる。
【００６１】
また、上記実施形態においては、本願の情報再生装置としてディスク再生装置を例にとって説明したが、これに限定されるものではなく、例えば、光ディスクに情報を記録及び再生するディスク記録再生装置に適用してもよい。
【図面の簡単な説明】
【図１】ディスク再生装置の概要構成例を示す図である。
【図２】光ディスク１０の再生が行われる場合のシステム制御部６の処理を示すフローチャートである。
【図３】図２のステップＳ１３におけるシングルセッションの処理を示すフローチャートである。
【図４】図２のステップＳ１４におけるマルチセッションの処理を示すフローチャートである。
【符号の説明】
１  スピンドルモータ
２  光ピックアップ
３  サーボ回路
４  情報再生部
５  操作・表示部
６  システム制御部
Ｓ  ディスク再生装置
１０  光ディスク
Ｓ  ディスク再生装置
【図１】
2004319052.tif 000003
【図２】
2004319052.tif 000004
【図３】
2004319052.tif 000005
【図４】
2004319052.tif 000006